(57)【要約】【課題】手摺りの取り付け、取り外しを効率よく行えるようにした手摺り支持具を提供することである。【解決手段】壁面Ｗにねじ止めされる固定座２の中心に円形の貫通孔２ａを設け、固定座２をねじ止めする前に、貫通孔２ａに摺動自在に嵌まり込む円筒部３ａを有する位置決めねじ３を壁面Ｗの固定座２取付位置の中心にねじ込み、この位置決めねじ３の円筒部３ａに嵌め込んだ固定座２を位置決めねじ３のまわりに回転させて、固定座２の取付角度の調整を行うようにすることにより、固定座２の角度調整の際の位置ずれを防止し、支持具１の取付位置の手直しが発生しないようにしたのである。【選択図】図２
2005282252.tif 000002
【特許請求の範囲】
【請求項１】
壁面にねじ止めされる固定座と、この固定座に基端部を取り付けられ、先端部で手摺りを支持するブラケットとから成る手摺り支持具において、前記固定座の中心に円形の貫通孔を設け、前記固定座をねじ止めする前に、前記貫通孔に摺動自在に嵌まり込む円筒部を有する位置決めねじを壁面の固定座取付位置の中心にねじ込み、この位置決めねじの円筒部に嵌め込んだ固定座を位置決めねじのまわりに回転させて、固定座の取付角度の調整を行うようにしたことを特徴とする手摺り支持具。
【請求項２】
前記位置決めねじの円筒部を頭部よりも大径に形成し、この位置決めねじの円筒部の頭部側端面に前記ブラケットの基端部を当接させて、前記ブラケットの壁面と直交する方向の位置決めを行うようにしたことを特徴とする請求項１に記載の手摺り支持具。
【発明の詳細な説明】
【技術分野】
【０００１】
この発明は、廊下や階段等の通路に沿って取り付けられる手摺りの支持具に関する。
【背景技術】
【０００２】
廊下や階段等の通路に沿って丸棒やパイプ等から成る棒状の手摺りを取り付ける場合には、通常、通路の壁面に複数の手摺り支持具をねじの締め付けにより取り付け、これらの支持具によって手摺りを支持するようにしている。
【０００３】
上記手摺り支持具には、壁面にねじ止めされる固定座と、この固定座に基端部を取り付けられ、先端側に手摺り支持部を有するブラケットとから成り、固定座のねじ止めをその中心の周囲の数箇所で行うことにより、取付後の固定座の回転による位置ずれを防止しているものが多い。しかし、このような支持具を壁面に取り付ける際には、まず固定座の１箇所をねじで仮止めし、仮止めしたねじを中心に固定座を回転させて取付角度を合わせているので、固定座の中心が取付目標の位置からずれやすい。このため、支持具の取付位置の手直しが必要となって、手摺りの取り付けに非常に手間がかかる場合がある。
【０００４】
また、壁面の通路に沿う方向に微小な段差やうねりがあると、壁面に取り付けた各手摺り支持具のブラケットが一直線上に配列されなくなるため、各支持具に手摺りを支持させる際に、支持具に力を加えてわずかに弾性変形させることが必要となり、作業性が悪くなる。そのうえ、このように支持具を弾性変形させて取り付けた手摺りは、支持具に力がかかった状態で取り付けられているため、家屋のリフォーム等の際の取り外しにも手間がかかることが多い。
【発明の開示】
【発明が解決しようとする課題】
【０００５】
この発明の課題は、手摺りの取り付け、取り外しを効率よく行えるようにした手摺り支持具を提供することである。
【課題を解決するための手段】
【０００６】
上記の課題を解決するため、この発明は、壁面にねじ止めされる固定座と、この固定座に基端部を取り付けられ、先端部で手摺りを支持するブラケットとから成る手摺り支持具において、前記固定座の中心に円形の貫通孔を設け、前記固定座をねじ止めする前に、前記貫通孔に摺動自在に嵌まり込む円筒部を有する位置決めねじを壁面の固定座取付位置の中心にねじ込み、この位置決めねじの円筒部に嵌め込んだ固定座を位置決めねじのまわりに回転させて、固定座の取付角度の調整を行うようにしたのである。
【０００７】
すなわち、手摺り支持具の固定座の中心を取付目標位置に一致させた状態で、固定座の取付角度の調整を行えるようにして、固定座の角度調整の際の位置ずれを防止し、支持具の取付位置の手直しが発生しないようにしたのである。
【０００８】
上記の構成において、前記位置決めねじの円筒部を頭部よりも大径に形成し、この位置決めねじの円筒部の頭部側端面に前記ブラケットの基端部を当接させて、前記ブラケットの壁面と直交する方向の位置決めを行うようにすれば、手摺り取付時に、壁面の通路に沿う方向の微小な段差等に応じて位置決めねじの壁面へのねじ込み深さを調節することにより、ブラケットの固定座への取付位置を、手摺りが無理なく取り付けられる位置に調整することができる。また、手摺りを取り外す際に、位置決めねじを進退させてブラケットの位置を変えることにより、手摺り支持具に作用している力を軽減することもできる。
【発明の効果】
【０００９】
この発明は、上述したように、手摺り支持具を壁面に取り付ける際に、固定座の中心を目標位置に一致させた状態で取付角度の調整を行えるようにしたので、支持具の取付位置の手直しがなくなり、手摺りの取付作業を効率よく行うことができる。
【００１０】
また、位置決めねじのねじ込み深さを調節してブラケットの取付位置を調整できるようにすることにより、壁面の通路に沿う方向にわずかな段差やうねりがあっても、ブラケットをほぼ一直線上に配列して、手摺り支持具に余分な力を加えることなく手摺りを取り付けることができ、手摺りの取り外しも簡単に行えるようになる。
【発明を実施するための最良の形態】
【００１１】
以下、図１乃至図７に基づき、この発明の実施形態を説明する。図１は、丸棒状の手摺りＡを、実施形態の手摺り支持具１で支持して通路の壁面Ｗに取り付けた状態を示す。
【００１２】
図２および図３に示すように、この手摺り支持具１は、壁面Ｗにねじ止めされる固定座２と、この固定座２の中心に通される位置決めねじ３と、固定座２に回転自在に支持される締付リング４と、締付リング４内に挿入される取付座５を基端側に有するブラケット６と、締付リング４および取付座５を覆うカバー７とから成る。
【００１３】
前記固定座２は、円形をなし、その中心に位置決めねじ３の円筒部３ａが嵌め込まれる貫通孔２ａが設けられ、貫通孔２ａの周囲には３つのねじ挿入孔２ｂが設けられている。また、一側端には脚部９が形成されており、この脚部９が各ねじ挿入孔２ｂに挿入されたねじ８の締め付けにより壁面Ｗに圧接される。
【００１４】
前記位置決めねじ３は、固定座２の貫通孔２ａに摺動自在に嵌まり込む円筒部３ａと、すり割りが形成された頭部３ｂとを有しており、壁面Ｗにねじ込まれて、円筒部３ａに嵌め込まれた固定座２を回転自在に支持するものである。また、その円筒部３ａは頭部３ｂよりも大径に形成されており、後述する方法でブラケット６の取付座５を固定座２に取り付けたときに、円筒部３ａの頭部側端面に取付座５が当接して、ブラケット６の壁面Ｗと直交する方向の位置決めが行われる。従って、この位置決めねじ３の壁面Ｗへのねじ込み深さを調節することにより、ブラケット６の取付位置を調整することができる。
【００１５】
前記締付リング４は、一端側内周に抜け止めフランジ１０を有し、他端側内周の相対する位置に一対の係合片１１が形成されており、抜け止めフランジ１０の内周に固定座２の脚部９を嵌め込まれて、手摺りＡ側への軸方向移動が規制された状態で固定座２に回転自在に支持されている。なお、その回転角度は、フランジ１０内周の突起１０ａが固定座２の脚部９に形成された切欠き９ａの周方向端面に当接することにより規制される。
【００１６】
前記ブラケット６は、図１に示したように、取付座５から延びる腕部１２がＬ字状に形成されて、その先端に手摺りＡを支持する受座１３が設けられており、受座１３上に載置した手摺りＡを受座１３の下方からねじ込まれるねじ（図示省略）で固定するようになっている。
【００１７】
取付座５は、図２乃至図４に示すように、円形で、締付リング４内に挿入されて、締付リング４を支持する固定座２と対向する。固定座２と対向する面には、固定座２が嵌まり込む凹部が設けられている。
【００１８】
また、取付座５の固定座２中心の貫通孔２ａと対応する位置、および固定座２のねじ挿入孔２ｂと対応する位置には、ドライバ挿入孔５ａ、５ｂがそれぞれ設けられている。従って、取付座５を固定座２に取り付けた状態で、ドライバを各ドライバ挿入孔５ａ、５ｂに挿入して、固定座２を支持する位置決めねじ３を進退させたり、固定座２を固定するねじ８の締め込みや抜き取りを行うことができる。
【００１９】
さらに、取付座５外周の相対する位置には、図３および図４に示すように、取付座５の締付リング４への挿入時に各係合片１１の周方向隙間を通るように形成された一対の案内片１４が設けられている。この案内片１４は、取付座５の周方向に延びる案内部１４ａと、軸方向に延びるストッパ部１４ｂとから成り、案内部１４ａの一側面には、周方向中央部からストッパ部１４ｂと反対側の周端にかけて案内部１４ａを徐々に薄くする傾斜カム面１５が形成されている。
【００２０】
従って、図４および図５に示すように、固定座２に支持された締付リング４を取付座５を挿入した状態で締付方向に回転させ、係合片１１を傾斜カム面１５の先端側から取付座５の案内片１４に係合させていくと、係合片１１が案内片１４の案内部１４ａに沿って移動するときに傾斜カム面１５を押圧するため、取付座５が固定座２側に引き寄せられ、その中心のドライバ挿入孔５ａの周縁部を位置決めねじ３の円筒部３ａに押し付けられて、ブラケット６がガタつきなく固定座２に取り付けられる。
【００２１】
前記カバー７は、図２乃至図３に示したように、締付リング４外周に嵌合する筒部とその一端を塞ぐ蓋部とから成り、ブラケット６の腕部１２が挿入される切欠き７ａを有している。また、筒部内周には３箇所に突起１６が設けられており、これらの各突起１６が締付リング４の外周に形成された段差部４ａに係合して、カバー７を取付状態に保持する。  
【００２２】
次に、この手摺り支持具１を用いて手摺りＡを壁面Ｗに取り付ける手順について説明する。手摺りＡの取り付けに際しては、最初に、手摺りＡの支持に必要な個数の手摺り支持具１を所定の間隔で壁面Ｗに取り付ける。
【００２３】
手摺り支持具１の取付方法は、まず、位置決めねじ３を壁面Ｗの固定座２取付位置の中心にねじ込む。そして、締付リング４を固定座２に組み付けるとともに、ブラケット６の取付座５を締付リング４内に挿入し、前述のように、締付リング４を締付方向に回転させてブラケット６を固定座２に取り付ける。その後、図６に示すように、固定座２を位置決めねじ３の円筒部３ａに嵌め込み、位置決めねじ３のまわりに回転させて取付角度の調整を行う。なお、図６は、説明上、ブラケット６を除いた状態を示している。このとき、固定座２は、その中心が取付目標位置に一致した状態で回転するので、従来のように後になって取付位置の手直しが必要となることがない。
【００２４】
この角度調整がすめば、ねじ８を取付座５のドライバ挿入孔５ｂから固定座２のねじ挿入孔２ｂに挿入し、壁面Ｗにねじ込んで、固定座２を壁面Ｗに固定する。最後に、カバー７を締付リング４外周に嵌め込んで締付リング４および取付座５を覆う。
【００２５】
そして、上記の方法で全ての手摺り支持具１を壁面Ｗに取り付けた後、手摺りＡを各支持具１のブラケット６の受座１３に載せてねじ止めする。このとき、図７に示すように、壁面Ｗの通路に沿う方向にわずかな段差δがあっても、一部の支持具１の位置決めねじ３を進退させて壁面Ｗへのねじ込み深さを調節することにより、ブラケット６の固定座２への取付位置を壁面Ｗと垂直な方向で調整して、各ブラケット６の受座１３をほぼ一直線上に配列できるので、各支持具１に力を加えて弾性変形させることなく、手摺りＡを容易に取り付けることができる。
【００２６】
一方、手摺りＡの取り外しは、手摺りＡを各支持具１のブラケット６にねじ止めしたまま、各締付リング４を締付方向と反対の方向に回転させて締付リング４から取付座５を引き抜き、手摺りＡと各ブラケット６とを一体に取り外せばよい。このとき、締付リング４が回転しにくい場合は、取付座５と締付リング４との間に圧縮力が作用していると考えられるので、一部の支持具１の位置決めねじ３を進退させてブラケット６の位置を変えることにより、前記圧縮力が軽減されて締付リング４が容易に回転するようになり、手摺りＡの取外作業が効率よく行える。
【図面の簡単な説明】
【００２７】
【図１】実施形態の手摺り支持具により手摺りを壁面に取り付けた状態の側面図
【図２】図１の手摺り支持具の壁面への取付部の縦断側面図
【図３】同上の手摺り支持具の分解斜視図
【図４】図２のIV−IV線に沿った断面図
【図５】図４のＶ−Ｖ線に沿った断面図
【図６】図１の手摺り支持具の固定座の角度調整方法を説明する正面図
【図７】同上のブラケットの取付位置を調整した状態の平面図
【符号の説明】
【００２８】
１  手摺り支持具
２  固定座
２ａ  貫通孔
３  位置決めねじ
３ａ  円筒部
３ｂ  頭部
４  締付リング
５  取付座
５ａ、５ｂ  ドライバ挿入孔
６  ブラケット
７  カバー
１１  係合片
１４  案内片
１４ａ  案内部
１４ｂ  ストッパ部
１５  傾斜カム面
Ａ  手摺り
Ｗ  壁面
【図１】
2005282252.tif 000003
【図２】
2005282252.tif 000004
【図３】
2005282252.tif 000005
【図４】
2005282252.tif 000006
【図５】
2005282252.tif 000007
【図６】
2005282252.tif 000008
【図７】
2005282252.tif 000009